(57)【特許請求の範囲】
【請求項１】
高所において床部の上面側端部に側壁部を形成する土木建築工事の際に使用されるハーフプレキャスト壁部材であって、
前記床部の上面側端部に立ち上げられた状態で、前記床部の上面側端部に設置固定された前記ハーフプレキャスト壁部材と内側にコンクリートが打設、硬化され一体化された状態で前記側壁部が形成されるものであり、
前記ハーフプレキャスト壁部材の上部には、前記コンクリートが打設されるときの上端面よりも上端側に飛び出すように飛散防止壁部が設けられているとともに、
この前記飛散防止壁部の厚みは、それよりも下方におけるハーフプレキャスト壁部材の厚みに比べて、段差を備えてより厚く形成され、かつ、前記ハーフプレキャスト壁部材において、前記飛散防止壁部が突設されている側が前記床部の内側を向くようにされていることを特徴とするハーフプレキャスト壁部材。
【請求項２】
請求項１に記載のハーフプレキャスト壁部材と前記コンクリートとを一体化させて形成した前記側壁部において、前記コンクリートの上面側は、前記床部の内側に向かって傾斜していることを特徴とするハーフプレキャスト壁部材とコンクリートとの組付け構造。
【請求項３】
請求項１に記載のハーフプレキャスト壁部材を床部の上面側端部に立ち上げた状態で、前記床部の内側には所定の間隔を隔てて内側型枠を設け、前記壁部材と前記内側型枠との間に形成された生コンクリート流し込み空間にコンクリートをその上端面が前記飛散防止壁部の前記段差よりも僅かに下方位置となるように流し込み、硬化させることにより、前記コンクリートと前記ハーフプレキャスト壁部材とを一体化させて側壁部を形成することを特徴とするハーフプレキャスト壁部材を用いた土木建築工法。
【発明の詳細な説明】
【０００１】
【発明の属する技術分野】
本発明は、ハーフプレキャスト壁部材および、そのハーフプレキャスト壁部材を用いた土木建築工法等に関するものである。
【０００２】
【従来の技術】
図９および図１０には、例えば道路１１０に沿った法面１０８上の建物１０９のコンクリート塀１０５のように、高い場所で土木建築工事を行うときの様子を示した。図１０に示すように、コンクリート床部１０１の側縁１０１Ａには、木製型枠１０２が立ち上げられており、その木製型枠１０２から所定の隙間を隔ててコンクリート床部１０１の内側には木枠で構成された内側型枠１０６が設けられている。木製型枠１０２と内側型枠１０６との間には、生コンクリート流し込み空間１０７が形成されており、この空間内にコンクリート１０３が流し込まれ、硬化させることによりコンクリート塀１０５を形成する。
【０００３】
【発明が解決しようとする課題】
ところが、上記の土木建築工事では、コンクリート塀１０５が完成した後には、外側および内側の両型枠１０２，１０６を取り外さなければならない。また、上記のように高所での作業を行う場合には、コンクリート打設作業の際に、硬化前のコンクリート１０３が木製型枠１０２の上端縁を乗り越えて飛散するのを防止するために、床部１０１の側縁部から、安全確保のため及び前記の型枠１０２を取り外す工事のために、足場１００を張り出しておく必要があった。この足場１００についても、土木建築工事が完了すると取り外されるものであるため、工事費の増加要因となってしまう。
【０００４】
このような問題点を解決するために、外側の木製型枠１０２を鉄板製としておき、コンクリート１０３と一体化させることで、コンクリート床部１０１の外側縁に設ける型枠を取り除く作業を省略する土木建築工法が提案されている。
ところが、そのような鉄板を用いた場合には、長期間の経過によって、塗装や鉄板そのものが傷んでくるため、所定の期間毎にメンテナンスを行う必要があった。さらに、鉄板を用いた場合には、コンクリート１０３と鉄板との接合部分が、天端面に形成されてしまうために、たとえ接合部分にシール材を設けたとしても、この接合部分から雨水等が浸入してしまい、凍結融解や発錆等によって接合部分が拡がり、更に腐食が進行してしまうという問題があった。
本発明は、上記した事情に鑑みてなされたものであり、その目的は、特に高所での側壁部分の工事を行う際に、工事後のメンテナンスを軽減もしくは全く不要とすることが可能な壁部材を提供することであり、また足場を組む必要がない壁部材およびその壁部材を用いた土木建築工法を提供することにある。
【０００５】
【課題を解決するための手段】
上記の課題を解決するために請求項１の発明に係るハーフプレキャスト壁部材は、高所において床部の上面側端部に側壁部を形成する土木建築工事の際に使用されるハーフプレキャスト壁部材であって、前記床部の上面側端部に立ち上げられた状態で、前記床部の上面側端部に設置固定された前記ハーフプレキャスト壁部材と内側にコンクリートが打設、硬化され一体化された状態で前記側壁部が形成されるものであり、前記ハーフプレキャスト壁部材の上部には、前記コンクリートが打設されるときの上端面よりも上端側に飛び出すように飛散防止壁部が設けられているとともに、この前記飛散防止壁部の厚みは、それよりも下方におけるハーフプレキャスト壁部材の厚みに比べて、段差を備えてより厚く形成され、かつ、前記ハーフプレキャスト壁部材において、前記飛散防止壁部が突設されている側が前記床部の内側を向くようにされていることを特徴とする。
「高所」とは、法面上の建物の塀、土留め壁や高架道路等のような側壁部を形成するべきところを指す。特に、従来の土木建築工法では、中空に足場を組まざるを得ない様な工事場所のことを示すものである。
【０００６】
請求項２の発明は、請求項１に記載のハーフプレキャスト壁部材と前記コンクリートとを一体化させて形成した前記側壁部において、前記コンクリートの上面側は、前記床部の内側に向かって傾斜していることを特徴とするハーフプレキャスト壁部材とコンクリートとの組付け構造である。
請求項３の発明は、請求項１に記載のハーフプレキャスト壁部材を床部の上面側端部に立ち上げた状態で、前記床部の内側には所定の間隔を隔てて内側型枠を設け、前記壁部材と前記内側型枠との間に形成された生コンクリート流し込み空間にコンクリートをその上端面が前記飛散防止壁部の前記段差よりも僅かに下方位置となるように流し込み、硬化させることにより、前記コンクリートと前記ハーフプレキャスト壁部材とを一体化させて側壁部を形成することを特徴とするハーフプレキャスト壁部材を用いた土木建築工法である。
【０００７】
【発明の作用、および発明の効果】
請求項１の発明によれば、ハーフプレキャスト壁部材が床部の上面側端部に立ち上げられ、床部内側に設けられた内側型枠との空間に流し込まれたコンクリートが硬化され、一体化されることで側壁部が形成される。このように、ハーフプレキャスト壁部材が後に打設されたコンクリートと一体化されて、側壁部の外面側を形成するため、従来の鉄板製のものに比べると錆や塗料の剥がれ等がなくなるため、メンテナンスを軽減又は、全く無くすることが可能となる。
また、ハーフプレキャスト壁部材の上部には、飛散防止壁部が設けられているため、例えば生コン車のシュートからコンクリートが流し込まれるときには、飛散しようとするコンクリートを飛散防止壁部が止めるので、コンクリートの飛散が防止できる。このため、床部の側縁から足場を組んでおく必要がない。
【０００８】
さらに、出来上がった側壁部においては、コンクリートとハーフプレキャスト壁部材との接合部分は、飛散防止壁部の下端縁となる。このとき、飛散防止壁部は、それよりも下方の壁部材よりも段差を備えて厚く形成されているため、接合部分は床部の内面側を向いていることになる。このため、従来のように接合部分が天端面にある場合に比べると、雨水の浸入を防止できる。
請求項２の発明によれば、側壁部においてコンクリートの上面側は、床部の内側に向かって傾斜している。このため、例えば雨水等は床部の内側方向に向かって流れるため、壁部材とコンクリートとの接合部分に水が浸入する事態が回避できる。
【０００９】
請求項３の発明によれば、ハーフプレキャスト壁部材の飛散防止壁部は、コンクリートが打設されるときの上端面よりも上端側に飛び出しているため、例えば生コン車のシュートからコンクリートが生コンクリート流し込み空間に流し込まれるときには、飛散しようとするコンクリートを飛散防止壁部が止めるので、コンクリートの飛散が防止できる。このため、高所において土木建築工事を行う際に、下方の安全確保のための床部の側縁に飛び出す足場を組んでおく必要がない。
【００１０】
【発明の実施の形態】
次に、本発明の一実施形態について、図１〜図７を参照しつつ、詳細に説明する。
図１には、本実施形態のハーフプレキャスト壁部材１（以下には、単に「壁部材１」と省略する。）を示した。この壁部材１は、予めその壁部材１が設置される場所とは別の場所で製造される。壁部材１は、略長方形の平板状に形成されており、その上縁部分には飛散防止壁部２が設けられている。この飛散防止壁部２は、後述するように側壁部３を形成するときに、コンクリート４が打設されるときのコンクリート上端面よりも上端側に飛び出すように後に打設されるコンクリートより高さが高い寸法設定とされている。また、飛散防止壁部２の厚みＡは、それよりも下方における壁部材１の厚みＢに比べて段差２Ａを備えて、より厚く形成されている。なお、壁部材１において、飛散防止壁部２が突設されている側が、床部５の内側を向くようにして形成される。
【００１１】
また、壁部材１の内面側（図１に示す面側）には、所定の大きさのインサートナット６（内側面に雌ねじが切られたナット）が、壁部材１を形成するときに予め挿入された状態で硬化されている。このインサートナット６には、後述のように固定用部材７やセパレータ８が接続される。
この壁部材１は、図２に示すように、コンクリート製の床部５の側縁５Ａ近くに立ち上げられた状態とされ、その内側にコンクリート４が打設される。床部５の上面側５Ｂ（図２に示す面側）には、所定の位置にスタッド筋９が突設されており、ここには側壁部３を形成するときに鉄筋材１０等が連結される。
【００１２】
次に、床部５における側縁５Ａ付近に側壁部３を形成する土木建築工事の工法について、図３〜図７を参照しつつ説明する。
まず、図３に示すように、床部５の上面側５Ｂに壁部材１を立ち上げた状態で固定する。上面側５Ｂの所定の位置には、長方形状の接続部材１１が、図３に示すように、一対に（本実施形態では、壁部材１の長さ方向の両端部付近に一対のものが、図３に示すようにして設けられているので、合計で四個の接続部材１１によって壁部材１が固定される。）熔接されており、この接続部材１１に開口された孔部を利用して壁部材１が固定されている。すなわち、壁部材１側には、インサートナット６を利用して、上下一対のＬ字状の固定用部材７がボルト１２によって固定されており、その固定用部材７の他辺部分が直接に、または中間部材１３を介してボルト１２によって固定されている。なお、床部５の上面側５Ｂと壁部材１の下端縁部分には、コンクリート４のノロ止めを行うために、弾性部材からなるパッキン１４が設けられている。同様に、二枚の壁部材１の接続部分にも、弾性部材からなるパッキン１４が設けられている。また、上面側５Ｂ上の壁部材１と内側型枠１５との間には、スタッド筋９に沿って鉄筋材１０が配置されている。
【００１３】
次に、床部５の内側（図６において右側。側壁部３において壁部材１の反対面側）に、所定の間隔を隔てて内側型枠１５を設ける。この内側型枠１５は、側壁部３の内面側を形成する型枠であり、例えば木枠によって形成されている。なお、コンクリート４が硬化されて、側壁部３が形成された後には、取り外される。内側型枠１５の高さは、壁部材１の高さに比べると、飛散防止壁部２の段差２Ａ位置に比べると低い位置となるように設定されている。
【００１４】
こうして、内側型枠１５が設置されると、壁部材１と内側型枠１５との間には、生コンクリート流し込み空間１６が形成される。また、壁部材１には、インサートナット６を利用して鉄製棒状のセパレータ８の一端部がネジ付けられており、その他端部は内側型枠１５の内側（図６において左側）に設けられた止め付け部材１７によって位置決めがなされている。また、止め付け部材１７に対しては、内側型枠１５の外側（図６において右側）からネジ部材１８がネジ付けられることで、内側型枠１５と壁部材１とがセパレータ８を介して、所定の距離を保持し、生コンの側圧によるハラミを防止する状態となっている。
【００１５】
次に、図６に示すように、例えば生コン車（図示せず）のシュート１９を介して、生コンクリート流し込み空間１６内に、硬化前のコンクリート４を流し込む。このコンクリート打設操作の際に、コンクリート４が飛散して壁部材１の上縁を乗り越えようとした場合にも、飛散防止壁部２が設けられているので、コンクリート４の飛散が防止される。
【００１６】
こうして、生コンクリート流し込み空間１６内にコンクリート４が打設された後には、コンクリート４は硬化する。なお、コンクリート４の上端面は、飛散防止壁部２の段差２Ａよりも僅かに下方位置となっている（つまり、床部５の内側に向かって隙間２０が設けられるようになっている。）。また、コンクリート４が適度に硬化し、完全に硬化する前に、コンクリート４の上面部分をコテでならしたり、モルタルを盛り付けることにより、床部５の内側に向かって傾斜するように傾斜面４Ａを形成しておく（図７を参照）。
コンクリート４が硬化した後に、内側型枠１５を取り外すことで、壁部材１とコンクリート４とが一体化した側壁部３が形成される。なお、隙間２０には、シール材２１の充填を行い、この部分からの水等の浸入を防止している。
なお、本実施形態における法面上部の建物の塀（側壁部３）には、適当な間隔で内側型枠１５の一部に、床部５の内側に向かって突設する突設部を形成しておき、控壁を設けるのが一般的である。
【００１７】
このように本実施形態によれば、壁部材１が床部５の上面側５Ｂに立ち上げられ、その内側に内側型枠１５が設けられて、内側型枠１５と壁部材１との間に形成された生コンクリート流し込み空間１６にコンクリート４が流し込まれて、硬化されることで側壁部３が形成される。このとき、コンクリート製の壁部材１は、コンクリート４と一体化して側壁部３となる。このように、壁部材１が側壁部３の外面側を形成するため、従来の鉄板製の側壁に比べると、錆や腐食等がないのでメンテナンスを軽減、又は全く無くすることができる。
【００１８】
また、壁部材１の飛散防止壁部２は、コンクリート４が打設されるときの内側型枠１５よりも上端側に高く飛び出して設置されている。このため、例えば生コン車のシュート１９からコンクリート４が生コンクリート流し込み空間１６に流し込まれるときには、飛散しようとするコンクリート４を飛散防止壁部２が止めるので、コンクリート４の飛散が防止できる。このため、特に高所において側壁部３を形成するときには、床部５の側縁５Ａの外側に足場を組んでおく必要がない。
【００１９】
さらに、出来上がった側壁部３においては、コンクリート４と壁部材１との接合部分は、飛散防止壁部２の下端縁に形成される。このとき、飛散防止壁部２は、それよりも下方の壁部材１よりも段差２Ａを備えて厚く形成されているため、接合部分は床部５における内面側を向いていることになる。このため、従来のように接合部分が天端面にある場合に比べると、雨水等の浸入を防止できる。
【００２０】
また、側壁部３においてコンクリート４の上面側は、床部５の内側に向かって傾斜した傾斜面４Ａが形成されている。このため、雨水等は床部５の内側方向に向かって流れるため、壁部材１とコンクリート４との接合部分に水が浸入する事態が回避できる。
【００２１】
なお、壁部材１を床部５の上面に立ち上げておく構成としては、上記の実施形態に限られるものではなく、例えば図８に示すようにしてもよい。この例では、断面がＬ字状でかつ上下に長い固定用部材３０が用いられる。壁部材１には、インサートボルト３１が設けられており、固定用部材３０に設けられたボルト孔３０Ａを利用して、固定用部材３０が連結される。
本発明の技術的範囲は、上記した実施形態によって限定されるものではなく、例えば、法面上の土留め壁、高架道路や橋の壁高欄等の高所作業に好適に実施することができる。
【図面の簡単な説明】
【図１】本実施形態におけるハーフプレキャスト壁部材の全体斜視図
【図２】床部の上面側を示す部分斜視図
【図３】床部の上面側端部にハーフプレキャスト壁部材を立ち上げた状態としたときの側断面図
【図４】床部の上面側端部にハーフプレキャスト壁部材を立ち上げた状態としたときの部分拡大平面図
【図５】床部の上面側端部にハーフプレキャスト壁部材を立ち上げた状態としたときの部分拡大正面図
【図６】床部における内側に内側型枠を取り付け、生コンクリート流し込み空間にコンクリートを打設しているときの様子を示す側断面図
【図７】ハーフプレキャスト壁部材とコンクリートとが一体化されて側壁部が完成したときの側断面図
【図８】他の実施形態において、床部の上面側端部にハーフプレキャスト壁部材を立ち上げた状態としたときの側断面図
【図９】従来例において、道路の一側面にある法面上の建物の塀を示す概観図
【図１０】従来例において、床部の上面側に側壁部を形成するときのコンクリート打設作業の様子を示す側断面図
【符号の説明】
１…ハーフプレキャスト壁部材
２…飛散防止壁部
２Ａ…段差
３…側壁部
４…コンクリート
４Ａ…傾斜面
５…床部
１５…内側型枠
１６…生コンクリート流し込み空間
【図１】
0003636960.tif 000002
【図２】
0003636960.tif 000003
【図３】
0003636960.tif 000004
【図４】
0003636960.tif 000005
【図５】
0003636960.tif 000006
【図６】
0003636960.tif 000007
【図７】
0003636960.tif 000008
【図８】
0003636960.tif 000009
【図９】
0003636960.tif 000010
【図１０】
0003636960.tif 000011